(57)【要約】【課題】要求される通過域においては低損失の特性を備えかつ通過域外の複数の減衰域では急峻で大きな減衰量を得ることができ、しかもインダクタの使用個数を低減することができる弾性波フィルタを提供すること。【解決手段】入力端と出力端との間に並列腕として４段に接続された弾性波共振子と、互いに隣接する前記弾性波共振子の間に夫々直列腕として設けられた３段の弾性波共振子と、これら３段の弾性波共振子に夫々並列に接続された３段のインダクタと、を備え、前記並列腕である４個の弾性波共振子の共振周波数を入力端側の弾性波共振子から出力端側の弾性波共振子に向かって順にｆ１、ｆ２、ｆ３、ｆ４とすると、その大きさはｆ１＜ｆ２＜ｆ４＜ｆ３であるように弾性波フィルタを構成する。減衰域に割り当てる極の数が多くなり、その上減衰域の劣化を抑えることができるので上記のような減衰量を得ることができる。【選択図】図８
2009296167.tif 000002
【特許請求の範囲】
【請求項１】
通過域よりも高域側または低域側に複数の減衰域を形成するための弾性波フィルタにおいて、
入力端と出力端との間に並列腕として４段に接続された弾性波共振子と、
互いに隣接する前記弾性波共振子の間に夫々直列腕として設けられた３段の弾性波共振子と、
これら３段の弾性波共振子に夫々並列に接続された３段のインダクタと、
を備え、
前記並列腕である４個の弾性波共振子の共振周波数を入力端側の弾性波共振子から出力端側の弾性波共振子に向かって順にｆ１、ｆ２、ｆ３、ｆ４とすると、その大きさはｆ１＜ｆ２＜ｆ４＜ｆ３であることを特徴とする弾性波フィルタ。
【請求項２】
デジタル地上波テレビ放送用の受信帯域を通過域とし、携帯端末としての音声及び／またはデータの送信帯域を減衰域とすることを特徴とする請求項１に記載の弾性波フィルタ。
【請求項３】
デジタル地上波テレビ放送用の電波を受信するためのアンテナ及び受信部と、携帯端末としての音声及び／またはデータを送受信するためのアンテナとを、備え、前記受信部に請求項１または２に記載の弾性波フィルタが設けられていることを特徴とする携帯端末。
【発明の詳細な説明】
【技術分野】
【０００１】
本発明は、例えばＳＡＷ（surface  acoustic  wave：弾性表面波）フィルタなどの弾性波フィルタ及びこの弾性波フィルタを用いた例えばデジタル地上波ＴＶ受信機付き携帯端末に関する。
【背景技術】
【０００２】
２００３年より、日本国内のデジタル地上波放送が始まり、また２０００年よりヨーロッパを初めとしてデジタル地上波放送のサービスが開始された。一方、携帯端末の普及と伴に、従来の携帯端末の電話機能に対してメール機能などの各種高付加価値のサービスが提供されるようになってきた。このような流れの中で、世界の携帯端末の製造メーカでは、これまでの携帯電話機能に加えて、デジタル地上波用ＴＶ放送の受信機能をもたせたデジタル地上波ＴＶ受信機付き携帯端末とすることで、デジタル地上波放送を受信するサービスを取り込むことが検討されている。
【０００３】
この種の携帯端末向けデジタル地上波ＴＶチューナーモジュールは、携帯端末向けであることにより、受信感度のようなチューナー本来の特性面の課題に加え、小消費電力・小型化・低背化が要求され、さらに送信電波が受信電波を妨害するのを防止することが要求される。
【０００４】
図１５にデジタル地上波ＴＶ受信機付き携帯端末の送受信部の構成図を示す。デジタルＴＶ放送を受信可能な携帯端末では、音声（及びデータ）通信とＴＶ放送の周波数帯の違いにより、デジタルＴＶ放送を受信するためのアンテナ１と、音声（及びデータ）通信信号を送受信するためのアンテナ２の２本のアンテナが近接配置される。ここで、通常、デジタルＴＶ放送波は微弱電波（−９０ｄＢｍ）のため、ＴＶチューナーモジュール１０の受信感度は非常に高く設計される。一方、携帯端末としての音声（及びデータ）を送信する音声送信部４の送信波はアンテナ２から非常に強い電波（約＋３０ｄＢｍ）を発射させる。このため、音声（及びデータ）通信の送信波はアンテナ１を介してＴＶ放送のチューナーモジュール１０まで到達し、ＴＶ放送の受信に妨害を与える。このため、デジタル地上波ＴＶ受信機付き携帯端末では、Ｄ／Ｕ比（Desired/Undesired：希望波とゴースト波の電力比）は１２０ｄＢ必要とも言われている。
【０００５】
ところで日本国内におけるデジタルＴＶ放送の受信帯域は４７０ＭＨｚ〜７７０ＭＨｚであり、この受信帯域よりも高周波側に音声通信の送信帯域が近接して存在する。この送信帯域は通信事業者ごとに異なるが、現状では、８２４〜８３０ＭＨｚ、８９８〜９２５ＭＨｚ、１９４０〜１９６０ＭＨｚの送信帯域が存在する。図１６は、デジタルＴＶ放送の受信帯域と通信事業者が使用する音声通信の送信帯域とに夫々対応する通過域と減衰域とを示す特性図である。
【０００６】
既述のように、アンテナが近接配置され、送受信電波の帯域が互いに近接した場合、音声やデータ通信の送信電波がアンテナを介してデジタルＴＶ放送受信アンテナに回り込み、ＴＶ放送の微弱な受信波に妨害を与える問題がある。この妨害を避けるため、デジタルＴＶ放送の受信アンテナの根元に、急峻な減衰量を持つフィルタを設けることが要求される。
【０００７】
図１７に、上記の要求を満足するような、デジタル地上波用ＴＶチューナーモジュールの受信系統の構成例を示す。ＢＥＦ回路（バンド・エリミネーション・フィルタ回路）１１は、携帯電話の送受信アンテナ（図示省略）から発射される送信電波周波数帯に急峻な抑圧（−５０〜−６０ｄＢ）特性をもち、アンテナ１で受信するデジタル地上波ＴＶ電波を低損失で取り込む。ＬＣフィルタ１２は、チップコイルやチップインダクタで構成され、送信電波周波数帯を抑圧（−２０〜−４０ｄＢ）する。バラン回路１３は、送信電波周波数帯を抑圧（−１０〜−２０ｄＢ）しながらＴＶ放送波を平衡−不平衡変換する。ＩＣ回路１４は、変調波になるＴＶ信号をベースバンドに変換する。
【０００８】
ＢＥＦ回路に要求される特性は、デジタルＴＶ放送の受信帯域においては低損失であり（減衰量が小さく）、音声やデータ放送の送信帯域においては減衰傾度が急峻でありかつ大きな減衰量が必要となる。ＢＥＦ回路として一般に、コイルやキャパシタを使用した受動回路や誘電体の高いＱ値を利用した誘電体フィルタ、また前記受動回路をパターン上に配置させ、更に焼結させるＬＴＣＣやＨＴＣＣのような積層チップ部品がある。しかし、携帯端末の中に実装されるモジュールにおいては、その実装面積とスペースは制限を受けることから、このような構成では限界がある。また、デジタルＴＶ放送の受信帯域と音声やデータ放送の送信帯域は非常に近接しているため、急峻な減衰特性が必要であり、従来のフィルタ設計理論では、急峻度を上げるためには、フィルタの構成要素である共振回路を二段以上に接続させるため、通過域の損失は非常に大きなものとなる。
【０００９】
そこで小消費電力・小型化・低背化を可能にするフィルタとして、ＳＡＷ（弾性表面波）フィルタがある。しかしＳＡＷ共振子単体でＳＡＷフィルタを構成するのでは広い通過域と大きな減衰量を得るのが難しい。一方、特許文献１には並列腕であるＳＡＷ共振子を、伝送路（信号路）に設けたインダクタを介して複数段接続する構成が記載されており、この手法を取り込めば、減衰量の小さな通過域とこの通過域に接近しかつ大きな減衰量が得られる減衰域とを確保することができる。図１８は、７個の並列腕であるＳＡＷ共振子３１と位相反転用の（位相を９０度ずらすための）インダクタ３２とを接続して構成したＳＡＷフィルタ３であり、３３は入力ポート、３４は出力ポートを示している。
【００１０】
８２４〜８３０ＭＨｚの減衰域を第１の減衰域、８９８〜９２５ＭＨｚの減衰域を第２の減衰域と呼ぶことにすると、７個のＳＡＷ共振子３１のうちの３個について第１の減衰域にて並列共振するものを割り当て、残りの４個については第２の減衰域にて並列共振するものを割り当てている。図１９はこの回路のフィルタ特性を示しており、上記の要求を満足する優れたフィルタ特性が得られることが分かる。そしてこのＳＡＷフィルタにおいては、ＳＡＷ共振子３１の接続段数を増やすことにより大きな減衰量を確保することができる。
【００１１】
ところでＳＡＷ共振子の接続段数を増やすとそれに伴いインダクタの数も増えるため、デバイスのサイズが次の理由により大きくなってしまう。インダクタを配線パターンにより作成しようとすると、大きなパターンを屈曲させかつ膜厚を大きくする必要があるため導体損失が大きくなり、Ｑ値が低くなることから外付けのコイルを用いることが現実的である。図２０は、外付けコイルを用いた場合のＳＡＷフィルタの概略斜視図であり、３５は配線基板、３６はＳＡＷ共振子が形成されたＳＡＷデバイス、３７は外付けコイルである。この図から分かるように、外付けコイルの装着数が多くなるとデバイスのサイズが大きくなり、デバイスの小型化を阻む大きな要因になっている。携帯端末は、機能の多様化などに伴い、益々の小型化が要求されることから、ＳＡＷフィルタデバイスの一層の小型化を図ることのできる技術が要請されている。
【特許文献１】特開２００４−１０４７９９
【発明の開示】
【発明が解決しようとする課題】
【００１２】
本発明の目的は、要求される通過域においては低損失の特性を備えかつ通過域外の複数の減衰域では急峻で大きな減衰量を得ることができ、しかもインダクタの使用個数を低減することができて小型化に寄与することができる弾性波フィルタを提供すること及びこの弾性波フィルタを備えた携帯端末を提供することにある。
【課題を解決するための手段】
【００１３】
本発明の弾性波フィルタは、通過域よりも高域側または低域側に複数の減衰域を形成するための弾性波フィルタにおいて、
入力端と出力端との間に並列腕として４段に接続された弾性波共振子と、
互いに隣接する前記弾性波共振子の間に夫々直列腕として設けられた３段の弾性波共振子と、
これら３段の弾性波共振子に夫々並列に接続された３段のインダクタと、
を備え、
前記並列腕である４個の弾性波共振子の共振周波数を入力端側の弾性波共振子から出力端側の弾性波共振子に向かって順にｆ１、ｆ２、ｆ３、ｆ４とすると、その大きさはｆ１＜ｆ２＜ｆ４＜ｆ３であることを特徴とする。
【００１４】
この弾性波フィルタは、例えばデジタル地上波テレビ放送用の受信帯域を通過域とし、携帯端末としての音声及び／またはデータの送信帯域を減衰域とする。
【００１５】
本発明の携帯端末は、デジタル地上波テレビ放送用の電波を受信するためのアンテナ及び受信部と、携帯端末としての音声及び／またはデータを送受信するためのアンテナとを、備え、前記受信部に上述の弾性波フィルタが設けられていることを特徴とする。
【発明の効果】
【００１６】
本発明の弾性波フィルタは、４段に接続された並列腕である弾性波共振子の各々の間に直列腕をなす弾性波共振子とインダクタとの並列回路を備えているため、並列腕の弾性波共振子の各々から得られる極に加えて、前記並列回路の各々から２つの極が得られる。従って減衰域に割り当てる極の数が多くなり、その上並列腕の弾性波共振子の共振周波数の並びと減衰域の劣化との関係に着目して、並列腕の弾性波共振子の共振周波数の並びに工夫をしているため、各極を適切に配置することで、低損失の特性を備え且つ通過域外の複数の減衰域では急峻で大きな減衰量を得ることができる。しかも位相反転用のインダクタの使用個数を低減することができてデバイスの小型化に寄与することができるという効果がある。また極の数が多いことから、これらの極の配置の自由度が大きくフィルタの設計が容易であるという利点もある。  
従って本発明の弾性波フィルタは例えば携帯端末に好適であり、またデジタル地上波テレビ放送用の受信帯域を通過域とし、携帯端末としての音声及び／またはデータの送信帯域を減衰域とする場合に極めて適しており、デジタル地上波ＴＶ受信機付き携帯端末のＴＶチューナーにおける送信電波がデジタルＴＶ放送の受信波に妨害を与えるのを防止するのに好適となる。
【発明を実施するための最良の形態】
【００１７】
本発明の実施形態の説明に先立って、本発明の構成に至った背景及び既述の要請に見合った伝送特性が得られる理由などについて述べておく。図１（ａ）は１つの弾性波共振子であるＳＡＷ共振子の等価回路を示しており、Ｒｓは直列抵抗（動抵抗）、Ｌｓは直列インダクタンス（動インダクタンス）、Ｃｓは直列容量（動容量）、Ｃｄは電極容量（制動容量）、Ｒ０は外部抵抗、４１は入力端子、４２は出力端子である。入力端及び出力端の終端インピーダンスは各々５０Ωである。
【００１８】
図１（ｂ）は図１（ａ）のＳＡＷ共振子の伝送特性を示している。図中Ｓ１１、Ｓ２１は夫々反射特性、通過特性を示しており、ＳＡＷ共振子が短絡する周波数即ち直列共振周波数（共振点）において通過特性が最も落ち込んで極が形成され、またＳＡＷ共振子がオープンになる周波数即ち並列共振周波数（反共振点）において反射特性が最も落ち込んで零点が形成される。これらの図の反射特性Ｓ１１、通過特性Ｓ２１は、ＳＡＷ共振子の特性として一つの零点及び一つの極が存在することを示している。
【００１９】
続いてインダクタとＳＡＷ共振子との関係について説明する。図２（ａ）は、ＳＡＷ共振子４３に並列にインダクタ４４を接続した回路４５を示している。また、図２（ｂ）は前記回路４５の反射特性Ｓ１１及び通過特性Ｓ２１を示したものであり、これら反射特性Ｓ１１及び通過特性Ｓ２１は一つの零点とその両側に２つの極とが存在することを示している。
【００２０】
また、図３（ａ）においてＡ１、Ａ２は、ＳＡＷ共振子４３、インダクタ４４夫々の単体構成におけるアドミタンス特性の解析例を示しており、そして図３（ｂ）では図２（ａ）の回路４５のアドミタンス特性の解析例を示している。ＳＡＷ共振子４３単体のアドミタンス特性としては、零点とその右側（周波数の高い側）において一つの極とが存在している。また、インダクタ４４のアドミタンス特性としては零点及び極が存在しない。しかし、ＳＡＷ共振子４３に対して並列にインダクタ４４を挿入することにより、前記零点は移動せずに、零点よりも右側にあった極がさらに右側に移動すると共に０Ｈｚに縮退していた極が零点の左側（周波数の低い側）に現れる。従って、このアドミタンスの解析例からもＳＡＷ共振子に並列にインダクタを接続することで、零点の左右両側に極を形成できることが示された。
【００２１】
続いて図４に４つのＳＡＷ共振子と３つのインダクタとからなるＳＡＷフィルタ４の回路構成を示す。このＳＡＷフィルタ４では、アースに接続された入力信号印加部分である入力ポート（入力端）５１と、アースに接続された出力信号取り出し部分である出力ポート（出力端）５２との間の信号路において、４段に並列腕ＳＡＷ共振子が接続されている。これらＳＡＷ共振子は入力側から出力側に向かって夫々Ｓ１、Ｓ２、Ｓ３、Ｓ４の符号を割り当てている。また、前記信号路において各ＳＡＷ共振子Ｓ１、Ｓ２、Ｓ３、Ｓ４について互いに隣接するもの同士の間にインダクタＬ１、Ｌ２、Ｌ３が各々入力側から出力側に向かってこの順に介挿されている。
【００２２】
図５（ａ）は、このＳＡＷフィルタ４の通過特性を示しており、図５（ｂ）は図５（ａ）における４００ＭＨｚ〜１０００ＭＨｚの帯域の特性を拡大して示したものである。インダクタを並列に接続しない場合、１つのＳＡＷ共振子はその通過特性に１つの極を持つことから、図５（ａ)、（ｂ）に示すように、このＳＡＷフィルタ４の特性としては４つの極が存在する。そして、この例では４つの各極は第１の減衰域及び第２の減衰域に合わせこまれているが、各減衰域において２０〜３０ｄＢ程度の減衰量しか得られていない。従って、目標とする５０ｄＢ以上の減衰量を確保するためには、より多くの極が必要であると言える。
【００２３】
ところで、上記のようにＳＡＷフィルタとインダクタとを並列に接続した場合に、形成される極の位置について検証する。図６（ａ）は、上記のＳＡＷフィルタ３を構成する各インダクタＬ１を入力ポート５１、出力ポート５２間に直列に介挿し、このインダクタＬ１に対して並列にＳＡＷ共振子Ｓ５を接続した回路Ｃ１について示している。また、図６（ｂ）は、インダクタＬ１の代わりにインダクタＬ２を、ＳＡＷ共振子Ｓ５の代わりにＳＡＷ共振子Ｓ６を夫々用いて回路Ｃ１と同様に構成した回路Ｃ２について示している。図６（ｃ）は、インダクタＬ１の代わりにインダクタＬ３を、ＳＡＷ共振子Ｓ５の代わりにＳＡＷ共振子Ｓ６を夫々用いて回路Ｃ１と同様に構成した回路Ｃ３について示している。インダクタＬ１、Ｌ２、Ｌ３は互いにインダクタンス値が異なっており、またＳＡＷ共振子Ｓ５、Ｓ６、Ｓ７は互いに共振周波数が異なっている。
【００２４】
図７（ａ）、（ｂ）はこれら回路Ｃ１、Ｃ２及びＣ３の広域特性、８００ＭＨｚ帯における詳細特性を夫々示したものである。これらの図に示されるように、各回路Ｃ１〜Ｃ３は、各々２つの極を持ち、各回路ごとにこれらの極は互いに異なった周波数に出現しているので、これらの極が出現する周波数を制御することができると言える。従ってＳＡＷフィルタ４のインダクタにＳＡＷ共振子を並列に接続して、極の数を増やし、各極を減衰域に対して合わせこむことで、各減衰域で高減衰なＳＡＷフィルタを構成することができる。
【００２５】
上述の研究に基づいて構成された、本発明の実施の形態に係るＳＡＷフィルタ５の構成を図８に示す。このＳＡＷフィルタ５では、図４に示したＳＡＷフィルタ４と同様に、入力ポート５１と出力ポート５２との間の信号路に４段に並列腕ＳＡＷ共振子Ｓ１、Ｓ２、Ｓ３、Ｓ４が入力側から出力側に向かってこの順に接続されている。そして、各並列腕ＳＡＷ共振子Ｓ間の信号路には互いに並列に接続された、夫々組となるインダクタＬ１及びＳＡＷ共振子Ｓ４、インダクタＬ２及びＳＡＷ共振子Ｓ５、インダクタＬ３及びＳＡＷ共振子Ｓ６がこの順に出力側に向かって夫々介挿されている。別の言い方をすれば、入力端と出力端との間に並列腕として４段に接続された弾性波共振子Ｓ１〜Ｓ４が設けられ、互いに隣接する前記弾性波共振子Ｓ１、Ｓ２、Ｓ３、Ｓ４の間に夫々直列腕として３段の弾性波共振子Ｓ５、Ｓ６、Ｓ７が設けられ、さらにこれら３段の弾性波共振子Ｓ５〜Ｓ７に夫々並列に３段のインダクタＬ１、Ｌ２、Ｌ３が接続されている。これらインダクタＬ１〜Ｌ３の各々は当該インダクタを通過する信号の位相を９０度ずらす（位相を反転させる）役割を持っている。
【００２６】
また、並列腕ＳＡＷ共振子Ｓ１、Ｓ２、Ｓ３、Ｓ４の共振周波数を夫々ｆ１、ｆ２、ｆ３、ｆ４とすると、このＳＡＷフィルタ５においてはｆ１＜ｆ２＜ｆ４＜ｆ３となるように構成している。このような構成にしている理由については後述する。
【００２７】
図９（ａ）は、このＳＡＷフィルタ５における通過特性を示している。また、図９（ｂ）は、この図９（ａ）の４００ＭＨｚ〜１０００ＭＨｚにおける通過特性を拡大して示しており、図１０は図９（ａ）の８００ＭＨｚ帯における通過特性を拡大して示している。上記のように図４に示したＳＡＷフィルタ４は４つの極を有しており、ＳＡＷフィルタ５では、このＳＡＷフィルタ４に対して３つのＳＡＷ共振子Ｓ５〜Ｓ７が追加され、これらのＳＡＷ共振子Ｓ５、Ｓ６、Ｓ７はインダクタＬ１、Ｌ２、Ｌ３に夫々並列に接続されている。そして、インダクタに並列に接続されたＳＡＷ共振子１つについて２つの極が発生することから、ＳＡＷ共振子Ｓ５、Ｓ６、Ｓ７を追加することで、これらＳＡＷ共振子Ｓ５、Ｓ６及びＳ７から６つの極が発生する。従って、図８に示したＳＡＷフィルタ５は、その伝送特性として１０個の極を持ち、この１０個の極を各減衰域に応じて配置することで、図９（ａ）、（ｂ）及び図１０に示すように通過域での減衰を抑えると共に各減衰域にて５０ｄＢ以上の大きな減衰量を得ることができる。
【００２８】
ところで、図１１（ａ）はＳＡＷフィルタ５と同様に構成したＳＡＷフィルタ６であるが、ＳＡＷ共振子Ｓ１、Ｓ２、Ｓ３、Ｓ４の夫々の共振周波数ｆ１、ｆ２、ｆ３、ｆ４は、ｆ１＜ｆ２＜ｆ３＜ｆ４となっている。このＳＡＷフィルタ６の特性を図１１（ｂ）、図１１（ｃ）及び図１２に示す。図１１（ｃ）は、図１１（ｂ）の４００〜１０００ＭＨｚの帯域における特性を拡大して示したものであり、図１２は、図１１（ｂ）の８００ＭＨｚ帯における通過特性を拡大して示している。図１０と図１２とを比較して、ＳＡＷフィルタ６ではＳＡＷフィルタ５に比べて第２の減衰域の広域側の特性が劣化していることが分かる。
【００２９】
さらに、上述のようにＳＡＷ共振子Ｓ１〜Ｓ４の共振周波数ｆ１〜ｆ４を設定することが有効となる理由について検討する。図１３（ａ）はＳＡＷフィルタ６において、インダクタＬ１〜Ｌ３をなくした構成とした回路６１を示している。図１３（ｂ）はこの回路６１の広域特性を示したものであり、図１３（ｃ）には図１３（ａ）の８００ＭＨｚ帯における特性を拡大して示している。これら図１３（ｂ）（ｃ）に示すように、第２の減衰域に減衰量の小さい点、いわゆるヌル点が存在している。
【００３０】
図１４（ａ）はＳＡＷフィルタ５において、インダクタＬ１〜Ｌ３をなくした構成とした回路６２を示している。また、図１４（ｂ）はこの回路６２の広域特性を示したものであり、図１４（ｃ）には図１４（ｂ）の８００ＭＨｚ帯における特性を拡大して示している。この図１４（ｂ）、（ｃ）に示すように回路６２は、第１の減衰域及び第２の減衰域においてヌル点のない特性を持つ。
【００３１】
このように、各並列腕ＳＡＷ共振子の共振周波数の関係により、ヌル点が発生し、このヌル点が所要の減衰域の中にあると、減衰特性の劣化が起こる。しかし、ｆ１＜ｆ２＜ｆ４＜ｆ３となるように並列腕ＳＡＷ共振子Ｓ１〜Ｓ４を配置することにより、各減衰域においてヌル点を持たないように広帯域の減衰域を作ることができる。
【００３２】
以上のように本発明の実施の形態によればインダクタの数を少なくしながら目的とする伝送特性、即ち通過特性の高域側に設定されている複数の減衰域にて急峻で大きな減衰量を確保できる伝送特性を得ることができる。なお複数の減衰域は通過域の低域側に存在していてもよい。既述のようにインダクタは外付け部品であるコイルにより構成されることが得策であるが、その場合部品のサイズが大きくなることから、インダクタの数を少なくできることはデバイスの小型化に寄与することができ、例えば携帯端末に組み込む弾性波フィルタとしては極めて好適である。
【００３３】
以上において、弾性波共振子は、弾性表面波を利用した共振子（ＳＡＷ共振子）に限られず、最近になって公表されている圧電基板の表面よりも内部を伝播する弾性波を利用した共振子であってもよい。
【図面の簡単な説明】
【００３４】
【図１】ＳＡＷ共振子の等価回路とその反射特性及び通過特性とを示した図である。
【図２】前記ＳＡＷ共振子にインダクタを並列に接続した回路構成とその回路の反射特性及び通過特性とを示した図である。
【図３】前記回路のアドミタンス特性を示した特性図である。
【図４】並列腕ＳＡＷ共振子及びそれに直列するインダクタを含んだＳＡＷフィルタの構成図である。
【図５】前記ＳＡＷフィルタの通過特性を示した特性図である。
【図６】減衰極の位置を検証するために用いた各回路の構成図である。
【図７】前記各回路の通過特性を示した特性図である。
【図８】本発明のＳＡＷフィルタの構成図である。
【図９】前記ＳＡＷフィルタの通過特性を示した特性図である。
【図１０】前記ＳＡＷフィルタの通過特性を示した特性図である。
【図１１】各ＳＡＷフィルタの通過特性を示した特性図である。
【図１２】各ＳＡＷフィルタの通過特性を示した特性図である。
【図１３】本発明のＳＡＷフィルタの特性を検証するための回路構成とその通過特性とを示した図である。
【図１４】本発明のＳＡＷフィルタの特性を検証するための回路構成とその通過特性とを示した図である。
【図１５】ＴＶ放送波を受信する携帯端末の構成図である。
【図１６】前記携帯端末に要求される通過域及び減衰域を示した図である。
【図１７】前記携帯端末のチューナーモジュールの構成図である。
【図１８】従来のＳＡＷ共振子を用いたＳＡＷフィルタの構成図である。
【図１９】前記ＳＡＷフィルタの通過特性を示した特性図である。
【図２０】ＳＡＷフィルタの概観の一例を示す斜視図である。
【符号の説明】
【００３５】
Ｌ１、Ｌ２、Ｌ３        インダクタ
Ｓ１〜Ｓ７    ＳＡＷ共振子
１  デジタル地上波ＴＶ放送用アンテナ
２  携帯電話用アンテナ
１０  ＴＶチューナーモジュール
２０  音声送信部
５、６        ＳＡＷフィルタ
５１          入力ポート
６１          出力ポート
【図１】
2009296167.tif 000003
【図２】
2009296167.tif 000004
【図３】
2009296167.tif 000005
【図４】
2009296167.tif 000006
【図５】
2009296167.tif 000007
【図６】
2009296167.tif 000008
【図７】
2009296167.tif 000009
【図８】
2009296167.tif 000010
【図９】
2009296167.tif 000011
【図１０】
2009296167.tif 000012
【図１１】
2009296167.tif 000013
【図１２】
2009296167.tif 000014
【図１３】
2009296167.tif 000015
【図１４】
2009296167.tif 000016
【図１５】
2009296167.tif 000017
【図１６】
2009296167.tif 000018
【図１７】
2009296167.tif 000019
【図１８】
2009296167.tif 000020
【図１９】
2009296167.tif 000021
【図２０】
2009296167.tif 000022